(57)【要約】【課題】第２流入口から流入した排水が第１流入口から逆流して流出してしまうことを好適に防ぐことができる排水ますを提供する。【解決手段】排水ます３０Ａは、上方に開口した点検口４１を有するます本体３１と、第１流入口５１を有する第１流入筒状部３２と、第２流入口５２と、流出口５３と、ます本体３１内において、第１流入筒状部３２と流出口５３とに接続された第１排水流路３５と、ます本体３１内において、第１排水流路３５と第２流入口５２とに接続された第２排水流路３６とを備えている。第１流入筒状部３２の上流側の底部は、流出筒状部３４および第１排水流路３５の底部よりも上方に配置されている。平面視において、点検口４１の外方であって第１流入筒状部３２の底部には、下流側に向かって下方に傾斜した傾斜部６１が設けられている。【選択図】図２
2015218532.tif 000002
【特許請求の範囲】
【請求項１】
上方に開口した点検口を有する略筒状のます本体と、
排水が流入する第１流入口を有し、前記ます本体の側部に設けられた第１流入筒状部と、
前記ます本体の側部に設けられ、排水が流入する第２流入口と、
前記ます本体の側部に設けられ、排水が流出する流出口と、
前記ます本体内において、前記第１流入筒状部と前記流出口とに接続された第１排水流路と、
前記ます本体内において、前記第１排水流路と前記第２流入口とに接続された第２排水流路と、
を備え、
前記第１流入筒状部の上流側の底部は、前記流出口の底部および前記第１排水流路の底部よりも上方に配置され、
平面視において、前記点検口の外方であって前記第１流入筒状部の底部には、下流側に向かって下方に傾斜した傾斜部が設けられている、排水ます。
【請求項２】
前記傾斜部は、上流側から下流側に向かうに連れて傾斜が緩やかになっている、請求項１に記載された排水ます。
【請求項３】
前記第１流入筒状部において、上流側の端面よりも下流側の端面の方が大きく開口している、請求項１または２に記載された排水ます。
【請求項４】
前記第１流入筒状部の横断面において、前記傾斜部は、
半円弧状の底面と、
前記底面の左の上端から右斜め上方に延びる左の返し面と、
前記底面の右の上端から左斜め上方に延びる右の返し面と、
を備えた、請求項１から３までの何れか一つに記載された排水ます。
【請求項５】
前記第１流入筒状部の底部であって、前記第１排水流路と前記傾斜部との間には、第３排水流路が設けられている、請求項１から４までの何れか一つに記載された排水ます。
【請求項６】
平面視において、前記点検口の外方であって少なくとも前記第３排水流路上には、排水が貯留される排水貯留領域が設けられている、請求項５に記載された排水ます。
【請求項７】
前記第１流入筒状部のうち前記第３排水流路が位置する部分の断面形状は、中心角が１８０度より大きく、かつ、下方に膨らんだ円弧状の第１円弧と、前記第１円弧の上方において、中心角度が１８０度より大きく、かつ、上方に膨らんだ円弧状の第２円弧とによって構成された形状である、請求項５または６に記載された排水ます。
【請求項８】
平面視において、前記第１排水流路における前記第２排水流路が接続された箇所よりも前記第１流入筒状部側の流路と、前記第２排水流路とのなす角度は、鋭角である、請求項１から７までの何れか一つに記載された排水ます。
【請求項９】
前記第２流入口の底部は、前記第１排水流路の底部と同じ高さである、請求項１から８までの何れか一つに記載された排水ます。
【請求項１０】
前記ます本体の側部に設けられた第２流入筒状部を備え、
前記第２流入口は、前記第２流入筒状部の上流端に設けられている、請求項１から９までの何れか一つに記載された排水ます。
【請求項１１】
前記ます本体の側部に設けられた流出筒状部を備え、
前記流出口は、前記流出筒状部の下流端に設けられている、請求項１から１０までの何れか一つに記載された排水ます。
【請求項１２】
前記第２流入口にエルボ管が回動自在に接続された、請求項１から１１までの何れか一つに記載された排水ます。
【発明の詳細な説明】
【技術分野】
【０００１】
本発明は、排水ますに関する。
【背景技術】
【０００２】
従来から、排水設備から排出された排水を下水本管へ流す排水システムなどにおいて、排水ますが用いられている。例えば、排水システムは、下水本管に接続された主管路と、排水設備に接続された分岐管路と、主管路と分岐管路とを接続する排水ますとを備えている。排水設備から排出された排水は、分岐管路を介して排水ますに流入する。排水ますに流入した排水は、主管路に流れた後、下水本管に流出する。
【０００３】
ところで、排水設備から分岐管路を介して排水ます内に流れた排水が、主管路の上流側へ逆流するおそれがある。そのような逆流を防止する手段として、排水の逆流を防止する排水ますが特許文献１に開示されている。
【０００４】
特許文献１に開示された排水ますは、上方に開口した有底筒状のます本体を備えている。ます本体の側部には主管流入口が設けられ、主管流入口よりも下方であって、ます本体の側部における主管流入口と向かい合う側には主管流出口が設けられている。また、ます本体の側部には、分岐管路が接続される分岐管流入口が設けられている。ます本体の底部には、主管流入口と主管流出口とを接続する主溝が形成されている。この主溝の途中部分には、主溝の主管流出口側の溝が主溝の主管流入口側の溝よりも下方に位置するように段差部が設けられている。また、ます本体の底部には、主溝に対して鋭角で接続されるように、主溝の主管流出口側の溝と分岐管流入口とを接続する分岐溝が形成されている。
【０００５】
特許文献１に開示された排水ますでは、分岐管流入口からます本体内に流入した排水は、分岐溝および主溝の主管流出口側の溝を介して主管流出口へ流れる。また、分岐管流入口からます本体内に流入した排水は、主溝の段差部によって塞き止められることによって、主管流入口には流れにくくなっている。
【先行技術文献】
【特許文献】
【０００６】
【特許文献１】実開平１−１０２２８０号公報
【発明の概要】
【発明が解決しようとする課題】
【０００７】
ところで、特許文献１に開示された排水ますにおいて、排水設備から排出された排水が、分岐管路から排水ます内に勢いよく流れることがあった。このとき、排水は、分岐管路から分岐管流入口を介してます本体内の分岐溝を流れる。分岐溝に流れた排水は、主溝の側面のうち分岐溝に接続された側とは反対側の側面にぶつかる。そして、主溝の側面にぶつかった排水の一部は、段差部を超えて、主管流入口へ逆流することがあった。すなわち、特許文献１に記載された排水ますでは、排水設備から排出された排水が勢いよく流れた場合、排水ます内において排水が逆流することがあった。
【０００８】
本発明はかかる点に鑑みてなされたものであり、その目的は、排水を流入させる第１流入口および第２流入口を備えた排水ますであって、第２流入口から流入した排水が第１流入口から逆流して流出してしまうことを好適に防ぐことができる排水ますを提供することである。
【課題を解決するための手段】
【０００９】
本発明に係る排水ますは、略筒状のます本体と、第１流入筒状部と、第２流入口と、流出口と、第１排水流路と、第２排水流路とを備えている。前記ます本体は、上方に開口した点検口を有している。前記第１流入筒状部は、排水が流入する第１流入口を有し、前記ます本体の側部に設けられている。前記第２流入口は、前記ます本体の側部に設けられ、排水が流入する。前記流出口は、前記ます本体の側部に設けられ、排水が流出する。前記第１排水流路は、前記ます本体内において、前記第１流入筒状部と前記流出口とに接続されている。前記第２排水流路は、前記ます本体内において、前記第１排水流路と前記第２流入口とに接続されている。前記第１流入筒状部の上流側の底部は、前記流出口の底部および前記第１排水流路の底部よりも上方に配置されている。平面視において、前記点検口の外方であって前記第１流入筒状部の底部には、下流側に向かって下方に傾斜した傾斜部が設けられている。
【００１０】
前記排水ますによれば、第１流入筒状部の底部に傾斜部が設けられている。この傾斜部は、平面視において、点検口の外方に設けられている。そのため、第２排水流路の下流端から傾斜部までの間には、距離が確保されている。よって、第２流入口からます本体内に流入した排水が第２排水流路から第１排水流路の上流側へ逆流した場合、傾斜部に近づくに連れて、その排水の流速は遅くなる。排水の勢いは傾斜部の手前で衰えるので、第２排水流路から第１排水流路の上流側に向かって逆流した排水は、傾斜部によって塞き止められ易くなる。したがって、第２流入口からます本体に流入した排水が、第１流入筒状部から外部へ逆流することを防ぐことができる。
【００１１】
本発明の好ましい一態様によれば、前記傾斜部は、上流側から下流側に向かうに連れて傾斜が緩やかになっている。
【００１２】
上記態様によれば、排水に混在する異物などが、傾斜部の下端に溜まりにくくなる。第１流入筒状部から流入した排水が、傾斜部に沿って第１排水流路に流れ易い。
【００１３】
本発明の好ましい他の一態様によれば、前記第１流入筒状部において、上流側の端面よりも下流側の端面の方が大きく開口している。
【００１４】
例えば、作業者は、点検口から第１流入筒状部の下流部に向かって、排水ます内を点検する点検具などを挿入する。上記態様によれば、第１流入筒状部の下流側の端面が大きく開口しているため、点検具などを挿入し易く、第１流入筒状部の内部を容易に点検することができる。
【００１５】
本発明の好ましい他の一態様によれば、前記第１流入筒状部の横断面において、前記傾斜部は、半円弧状の底面と、前記底面の左の上端から右斜め上方に延びる左の返し面と、前記底面の右の上端から左斜め上方に延びる右の返し面と、を備えている。
【００１６】
上記態様によれば、例えば、第２排水流路から第１排水流路の上流側に向かって逆流した排水が、傾斜部の底面上にまで乗り上げた場合であっても、返し面によって、排水を第１流入筒状部の上流側に流れにくくすることができる。
【００１７】
本発明の好ましい他の一態様によれば、前記第１流入筒状部の底部であって、前記第１排水流路と前記傾斜部との間には、第３排水流路が設けられている。
【００１８】
上記態様によれば、第３排水流路によって、第１排水流路と傾斜部との間には、距離が確保されている。そのため、第２流入口から第１排水流路に流入した排水が、第１流入筒状部に逆流する場合、第３排水流路によって、その排水の流速を抑えることができる。よって、第２流入口からます本体内に流入した排水が、第１流入筒状部から外部へ逆流することを好適に防止することができる。
【００１９】
本発明の好ましい他の一態様によれば、平面視において、前記点検口の外方であって少なくとも前記第３排水流路上には、排水が貯留される排水貯留領域が設けられている。
【００２０】
上記態様によれば、ます本体から第１流入筒状部の第３排水流路に逆流した排水は、排水貯留領域に一時的に貯留される。よって、排水貯留領域から第１流入筒状部の上流側へ排水が逆流することを防止することができる。
【００２１】
本発明の好ましい他の一態様によれば、前記第１流入筒状部のうち前記第３排水流路が位置する部分の断面形状は、中心角が１８０度より大きく、かつ、下方に膨らんだ円弧状の第１円弧と、前記第１円弧の上方において、中心角度が１８０度より大きく、かつ、上方に膨らんだ円弧状の第２円弧とによって構成された形状である。
【００２２】
第２流入口から流入した排水が勢いよく第３排水流路に流れる際、排水が、第１流入筒状部のうち第３排水流路が位置する部分の側面に沿って上方に向かって流れて、第１流入筒状部の上流側に逆流することがあり得る。しかし、上記態様によれば、第３排水流路が位置する部分の断面形状は上述したような形状である。そのため、第１流入筒状部のうち第３排水流路が位置する部分の側面の中間部分には、内方に突出した突起が形成されている。よって、第１流入筒状部のうち第３排水流路が位置する部分の側面に沿って排水が上方に向かって流れる場合であっても、上記突起によって、排水はそれよりも上方に向かって流れにくくなる。したがって、第２流入口からます本体内に流入した排水が、第１流入筒状部の下流側の側面に沿って上方に向かって流れて、第１流入筒状部の上流側に逆流することを防止することができる。
【００２３】
本発明の好ましい他の一態様によれば、平面視において、前記第１排水流路における前記第２排水流路が接続された箇所よりも前記第１流入筒状部側の流路と、前記第２排水流路とのなす角度は、鋭角である。
【００２４】
上記態様によれば、第２流入口から第２排水流路に流入した排水は、第２排水流路に沿って流れるため、その流れの向きのまま第１排水流路に流入する。よって、排水は、第１排水流路の下流側に流れ易くなり、第１排水流路の上流側には逆流しにくくなる。
【００２５】
本発明の好ましい他の一態様によれば、前記第２流入口の底部は、前記第１排水流路の底部と同じ高さである。
【００２６】
第２流入口の底部が第１排水流路の底部よりも高い位置に設けられている場合、第２流入口から流入した排水は、落下するように第１排水流路へ流れるため、流速が速くなる。しかし、上記態様によれば、第２流入口から流入した排水は、落下せずに第１排水流路へ流れる。よって、第２流入口から流入した排水の流速を抑えることができる。したがって、第２流入口から流入した排水が、第１流入筒状部から外部へ逆流することを好適に防止することができる。なお、本発明において、「同じ高さ」とは、略同じ高さであってもよい。第２流入口から流入した排水が実質的に落下せずに第１排水流路へ流れる程度のものであれば、第２流入口の底部と第１排水流路の底部との間において、多少の高さの違いがあったとしても、第２流入口の底部と第１排水流路の底部とは、「同じ高さ」であるとする。
【００２７】
本発明の好ましい他の一態様によれば、前記ます本体の側部に設けられた第２流入筒状部を備えている。前記第２流入口は、前記第２流入筒状部の上流端に設けられている。
【００２８】
上記態様によれば、第２流入口と第２排水流路の上流端との間には、第２流入筒状部によって、距離が確保されている。よって、第２排水流路を流れる排水が、第２流入口から外部へ逆流しにくくすることができる。
【００２９】
本発明の好ましい他の一態様によれば、前記ます本体の側部に設けられた流出筒状部を備えている。前記流出口は、前記流出筒状部の下流端に設けられている。
【００３０】
上記態様によれば、流出口と第１排水流路の下流端との間には、流出筒状部によって、距離が確保されている。よって、外部の排水が流出口からます本体内の第１排水流路に流入しにくくすることができる。
【００３１】
本発明の好ましい他の一態様によれば、前記第２流入口にエルボ管が回動自在に接続されている。
【００３２】
上記態様によれば、第２流入口に接続される配管がどのような方向に延びている場合であっても、エルボ管を介して、配管と第２流入口とを接続し易い。
【発明の効果】
【００３３】
本発明によれば、排水を流入させる第１流入口および第２流入口を備えた排水ますであって、第２流入口から流入した排水が第１流入口から逆流して流出してしまうことを好適に防ぐことができる排水ますを提供することができる。
【図面の簡単な説明】
【００３４】
【図１】実施形態に係る排水システムの平面図である。
【図２】実施形態に係る排水ますの平面図である。
【図３】排水ますの正面図である。
【図４】図２のＩＶ−ＩＶ断面における排水ますの断面図である。
【図５】排水ますの左側面図である。
【図６】排水ますの右側面図である。
【図７】図３のＶＩＩ−ＶＩＩ断面における排水ますの断面図である。
【図８】図３のＶＩＩＩ−ＶＩＩＩ断面における排水ますの断面図である。
【図９】他の実施形態に係る排水ますの平面図である。
【図１０】他の実施形態に係る排水ますの右側面図である。
【発明を実施するための形態】
【００３５】
以下、図面を参照しながら、本発明に係る排水ますの実施形態について説明する。ここで説明される実施形態は、当然ながら特に本発明を限定することを意図したものではない。また、同じ作用を奏する部材・部位には同じ符号を付し、重複する説明は省略または簡略化する。
【００３６】
図１は、実施形態に係る排水ます３０Ａを備えた排水システム１の平面図である。排水システム１は、図１に示すように、排水が流れるシステムである。ここで、「排水」には、汚水および雨水が含まれる。「汚水」とは、トイレ、風呂、および台所の流し台などから排出される水であり、そのままでは河川に放流させることができないものである。本実施形態では、トイレ、風呂、および台所の流し台などのように、汚水が排出される設備を排水設備５とする。ここでは、排水設備５は、トイレ、風呂、および台所の流し台などの何れかであるが、特にトイレであることが好ましい。なお、図１では、２つの排水設備５が図示されているが、排水設備５の数は特に限定されず、１つであってもよいし、３つ以上あってもよい。「雨水」とは、降雨などの自然現象に起因する水であり、そのまま河川に放流させることができるものである。ここでは、排水システム１は、排水のうち排水設備５から排出された汚水を、下水処理場（図示せず）に接続された下水本管６に流すシステムである。しかし、排水システム１は、雨水が流れるシステムであってもよい。この場合、排水設備５は、雨水が集約される側溝などに置換され、下水本管６は、雨水本管または河川などに置換される。図示は省略するが、排水システム１は、地中に埋設されている。排水システム１は、主管路１０と、分岐管路２０と、排水ます３０Ａとを備えている。
【００３７】
主管路１０は、排水設備５から排出された排水が集約される管路である。図１において、右を主管路１０の上流とし、左を主管路１０の下流とする。主管路１０は、特に図示はしていないが、下流に向かって下方に傾斜している。主管路１０は、第１主管路１１と、第２主管路１２と、第３主管路１３とを備えている。第１主管路１１の上流端には、例えば、排水設備５とは異なる排水設備（図示せず）が接続されている。第１主管路１１の下流端には、上流側の排水ます３０Ａ（図１において、右側の排水ます３０Ａ）が接続されている。第２主管路１２の上流端には、上流側の排水ます３０Ａが接続され、下流端には、下流側の排水ます３０Ａ（図１において、左側の排水ます３０Ａ）が接続されている。第３主管路１３の上流端には、下流側の排水ます３０Ａが接続され、下流端には、下水本管６が接続されている。なお、主管路１０の途中箇所には、公共ます（図示せず）が設けられていてもよい。
【００３８】
分岐管路２０は、排水設備５と排水ます３０Ａとに接続された管路である。ここでは、分岐管路２０は、第１分岐管路２１と、第２分岐管路２２とを備えている。図１において、下を分岐管路２０の上流とし、上を分岐管路２０の下流とする。第１分岐管路２１の上流端には、上流側の排水設備５が接続され、下流端には、上流側の排水ます３０Ａが接続されている。第２分岐管路２２の上流端には、下流側の排水設備５が接続され、下流端には、下流側の排水ます３０Ａが接続されている。なお、「管路」とは、水を流通させる通路を意味する。「管路」は、一本の配管によって構成されていてもよいし、複数本の配管とそれら配管を接続する継手によって構成されていてもよい。
【００３９】
次に、本実施形態に係る排水ます３０Ａについて説明する。図１では、２つの排水ます３０Ａが図示されているが、２つの排水ます３０Ａは同様の構成をしている。ただし、２つの排水ます３０Ａは、同様の構成でなくてもよく、例えば、２つの排水ます３０Ａのうち何れか一方は、従来公知の排水ますであってもよい。ここでは、排水ます３０Ａは、主管路１０の途中箇所に設けられている。排水ます３０Ａは、排水設備５から排出された排水と主管路１０の上流側から流れる排水とを合流させて、その排水を主管路１０の下流側へ流すものであり、いわゆる合流ますである。例えば、排水設備５から排出された排水は、分岐管路２０を介して排水ます３０Ａに流れ、その後、主管路１０の下流側（例えば、下流側の排水ます３０Ａでは第３主管路１３）へ流れる。
【００４０】
図２は、実施形態に係る排水ます３０Ａの平面図である。図３は、排水ます３０Ａの正面図である。図４は、図２のＩＶ−ＩＶ断面における排水ます３０Ａの断面図である。図５は、排水ます３０Ａの左側面図である。図６は、排水ます３０Ａの右側面図である。図７は、図３のＶＩＩ−ＶＩＩ断面における排水ます３０Ａの断面図である。図８は、図３のＶＩＩＩ−ＶＩＩＩ断面における排水ます３０Ａの断面図である。なお、図２から図８などにおいて、符号Ｆ、Ｒｒ、ＬおよびＲは、それぞれ排水ます３０Ａの前、後、左および右を表している。ただし、各方向は説明の便宜上定められたものであり、本発明を特に限定するものではない。排水ます３０Ａは、図２に示すように、ます本体３１と、第１流入筒状部３２と、第２流入筒状部３３と、流出筒状部３４と、第１排水流路３５と、第２排水流路３６とを備えている。
【００４１】
ます本体３１は、図４に示すように、上下方向に延びた略筒状の形状を有している。ます本体３１は、内部に空間を有している。ます本体３１の上部には、点検口４１が形成されている。点検口４１は、上方に開口している。点検口４１は、作業者がます本体３１、第１流入筒状部３２、第２流入筒状部３３および流出筒状部３４の内部に破損または詰まりなどがあるか否かのメンテナンスを行う部位である。
【００４２】
第１流入筒状部３２は、ます本体３１の側部に設けられている。ここでは、図２に示すように、平面視において、第１流入筒状部３２の中心軸Ｌ１２は、点検口４１の中心軸Ｌ１１よりも第２流入筒状部３３とは反対側、すなわち、後方に位置している。第１流入筒状部３２は、第１流入口５１を有している。第１流入口５１には、排水が流入する。ここでは、第１流入口５１は、図６に示すように、側方に開口している。図３に示すように、正面視において、第１流入口５１の端面を通る直線と、点検口４１の端面を通る直線とは、直交している。図１に示すように、第１流入口５１には、主管路１０の上流側を構成する配管が接続される。例えば、上流側の排水ます３０Ａの第１流入口５１には、主管路１０の第１主管路１１の下流端を構成する配管が接続され、下流側の排水ます３０Ａの第１流入口５１には、第２主管路１２の下流端を構成する配管が接続される。第１流入口５１は、配管が挿入される受口であるが、配管に挿入される差口であってもよい。図４に示すように、第１流入筒状部３２の底部には、傾斜部６１が設けられている。
【００４３】
傾斜部６１は、図２に示すように、平面視において、点検口４１の外方であって第１流入筒状部３２の底部に設けられている。ここでは、傾斜部６１は、第１流入筒状部３２の底部の途中部分に設けられている。しかし、傾斜部６１は、第１流入筒状部３２の底部の上流端または下流端に設けられていてもよい。傾斜部６１は、第１流入筒状部３２のうち傾斜部６１が設けられた箇所よりも上流側の底部３２ｄ（以下、第１流入筒状部３２の上流側の底部３２ｄともいう。）から下流側に向かって下方に傾斜している。ここでは、図７に示すように、傾斜部６１は、底面６２と、左の返し面６３Ｌと、右の返し面６３Ｒとを備えている。第１流入筒状部３２の横断面において、底面６２の形状は、半円弧状の形状である。図４に示すように、底面６２は、第１流入筒状部３２の上流側の底部３２ｄから下流側に向かって下方に延びている。底面６２は湾曲している。詳しくは、底面６２は、上流側から下流側に向かうに連れて、緩やかに傾斜している。ここでは、底面６２は、周縁部から中央部分よりもやや下側の部分に向かうに連れて外側に膨出している。底面６２は、第１流入筒状部３２の側面と連続している。底面６２の下端に対する上端の高さは、特に限定されないが、３０ｍｍ以上であることが好ましい。なお、底面６２には、底面６２から上方に延びたリブ（図示せず）が設けられていてもよい。このことによって、底面６１が変形しにくくなる。
【００４４】
返し面６３Ｌ、６３Ｒは、図７および図８に示すように、底面６２の上端の両側にそれぞれ設けられている。左の返し面６３Ｌは、傾斜部６１の底面６２の左の上端から右斜め上方に延びている。右の返し面６３Ｒは、底面６２の右の上端から左斜め上方に延びている。返し面６３Ｌ、６３Ｒは、上方に向かって曲線状に延びているが、直線状に延びていてもよい。ここでは、返し面６３Ｌ、６３Ｒは、略三角形状を有している。返し面６３Ｌ、６３Ｒは、第１流入筒状部３２の上流側の底部３２ｄと連続している。本実施形態では、図４に示すように、第１流入筒状部３２の底部には、流入流路６５が形成されている。
【００４５】
流入流路６５は、第１流入筒状部３２の傾斜部６１よりも下流側に設けられている。流入流路６５は、真っ直ぐな流路であるが、一部が湾曲した流路であってもよい。流入流路６５は、傾斜部６１の下端および第１排水流路３５の上流端と連続している。ここでは、流入流路６５と傾斜部６１との間には段差がなく、流入流路６５と傾斜部６１とは滑らかに連続している。流入流路６５における第１流入筒状部３２の長さ方向、すなわち、左右方向の距離は特に限定されない。例えば、流入流路６５における長さ方向の距離は、第１流入筒状部３２の長さ方向の距離の１／３倍から１／２倍であると好ましい。ここでは、流入流路６５は、第１流入筒状部３２の上流側の底部３２ｄよりも低い位置に設けられている。図示は省略するが、流入流路６５は、上流側から下流側に向かって下方に若干傾斜している。このことによって、第１流入筒状部３２から流入した排水を、流入流路６５の上流側から下流側へ自然に流すことができる。また、このことによって、排水に含まれるトイレットペーパーなどの異物などが、流入流路６５に溜まりにくくすることができる。本実施形態では、流入流路６５は、本発明の「第３排水流路」に対応する。なお、流入流路６５は省略することが可能である。この場合、傾斜部６１は、第１排水流路３５と連続しているとよい。
【００４６】
第１流入筒状部３２内であって流入流路６５上および傾斜部６１上には、排水貯留領域６６が設けられている。排水貯留領域６６は、ます本体３１から第１流入筒状部３２に逆流した排水が一時的に貯留される領域である。排水貯留領域６６は、平面視において、点検口４１の外方に設けられている。ここでは、排水貯留領域６６は、正面視において、傾斜部６１の下端から上端までの高さの領域のことをいう。
【００４７】
次に、第１流入筒状部３２の形状について説明する。第１流入筒状部３２の下流側の端面は、上流側の端面、すなわち、第１流入口５１よりも大きく開口している。言い換えると、第１流入筒状部３２の下流側の端面の開口面積は、上流側の端面の開口面積よりも大きい。ここでは、第１流入筒状部３２の上流側の開口断面形状と、第１流入筒状部３２の下流側の開口断面形状とは異なっている。図６に示すように、第１流入筒状部３２の上流側の開口断面形状は、略円形状である。図７は、第１流入筒状部３２のうち流入流路６５が位置する部分の断面形状を示している。図７に示すように、第１流入筒状部３２のうち流入流路６５が位置する部分、すなわち、第１流入筒状部３２の下流側の断面形状は、第１円弧３２ａと第２円弧３２ｂによって構成された形状である。第１円弧３２ａは、中心角Ｒ１が１８０度よりも大きく、かつ、下方に膨らんだ円弧状である。第１円弧３２ａの下方に膨らんだ箇所が流入流路６５を形成している。第２円弧３２ｂは、第１円弧３２ａよりも上方において、中心角Ｒ２が１８０度より大きく、かつ、上方に膨らんだ円弧状である。本実施形態では、第２円弧３２ｂの中心Ｐには、第１流入筒状部３２の上流側の中心軸Ｌ１２が通る。
【００４８】
第１流入筒状部３２の下流側において、第２円弧３２ｂによって形成された空間を視認部６７という。視認部６７には、例えば、作業者が排水ます３０Ａの内部を点検するために、作業者によって、棒状の先端に鏡などが設けられた点検具（図示せず）が挿入される。ここでは、第１円弧３２ａの中心角Ｒ１と、第２円弧３２ｂの中心角Ｒ２とは同じであるが、異なっていてもよい。また、第１円弧３２ａを上下に反転させると、第２円弧３２ｂと一致するが、一致していなくてもよい。例えば、第１円弧３２ａは、第２円弧３２ｂよりも膨らんでいてもよいし、膨らんでいなくてもよい。第１円弧３２ａの弦Ｃ１と第２円弧３２ｂの弦Ｃ２とは一致している。このような断面形状とすることで、第１流入筒状部３２の下流側の側面の中間部分には、内方に突出した突起３２ｃが形成されている。
【００４９】
図２に示すように、第２流入筒状部３３は、ます本体３１の側部に設けられている。図３に示すように、第２流入筒状部３３は、正面視において、第１流入筒状部３２と流出筒状部３４との間に設けられている。図２に示すように、平面視において、第２流入筒状部３３の一部は、点検口４１と重なるように配置されている。このことによって、排水ます３０Ａの前後方向の長さを短くすることができる。図３に示すように、第２流入筒状部３３の底部は、第１流入筒状部３２の下流側の底部、すなわち、流入流路６５の底部と同じ高さの位置に配置されている。第２流入筒状部３３の底部は、第１流入筒状部３２の上流側の底部３２ｄよりも下方に配置されている。図２に示すように、第２流入筒状部３３の中心軸Ｌ１３は、平面視において、点検口４１の中心軸Ｌ１１よりも第１流入筒状部３２側、すなわち、右方に位置している。また、第２流入筒状部３３の中心軸Ｌ１３は、第１流入筒状部３２の上流側の中心軸Ｌ１２と直交している。
【００５０】
図３に示すように、第２流入筒状部３３は、第２流入口５２を有している。第２流入口５２は、第２流入筒状部３３の上流端に設けられている。第２流入口５２は、第２流入筒状部３３を介して、ます本体３１の側部に設けられている。第２流入口５２には、排水設備５から排出された排水が流入する。第２流入口５２は、前方に向かって開口している。ここでは、図２に示すように、第２流入口５２の端面の一部は、点検口４１の外周面よりも内側に配置されている。図６に示すように、側面視において、第２流入口５２の端面を通る直線と点検口４１の端面を通る直線とは、直交している。また、図２に示すように、平面視において、第２流入口５２の端面を通る直線と第１流入口５１の端面を通る直線とは、直交している。図１に示すように、第２流入口５２には、分岐管路２０を構成する配管が接続される。例えば、上流側の排水ます３０Ａの第２流入口５２には、分岐管路２０の第１分岐管路２１の下流端を構成する配管が接続される。下流側の排水ます３０Ａの第２流入口５２には、第２分岐管路２２の下流端を構成する配管が接続される。第２流入口５２は、受口であるが、差口であってもよい。なお、第２流入口５２は、ます本体３１の側部に直接形成されていてもよい。この場合、第２流入筒状部３３を省略してもよい。
【００５１】
図２に示すように、流出筒状部３４は、ます本体３１の側部であって第１流入筒状部３２の反対側に設けられている。流出筒状部３４と第１流入筒状部３２とは対向している。ただし、流出筒状部３４は、第１流入筒状部３２と対向していなくてもよい。流出筒状部３４の長さ方向の距離は、第１流入筒状部３２の長さ方向の距離よりも短い。図３に示すように、流出筒状部３４の底部は、第２流入筒状部３３の底部と同じ高さの位置に配置されている。ここでは、図２に示すように、流出筒状部３４の中心軸Ｌ１４は、点検口４１の中心軸Ｌ１１よりも第２流入筒状部３３とは反対側に位置している。流出筒状部３４の中心軸Ｌ１４は、第１流入筒状部３２の上流側の中心軸Ｌ１２と平行である。また、平面視において、流出筒状部３４の中心軸Ｌ１４と、第２流入筒状部３３の中心軸Ｌ１３とは直交している。
【００５２】
図５に示すように、流出筒状部３４は、流出口５３を有している。流出口５３は、流出筒状部３４の下流端に設けられている。流出口５３は、流出筒状部３４を介して、ます本体３１の側部に設けられている。ここでは、流出口５３は、ます本体３１の側部であって第１流入口５１の反対側に設けられているが、第１流入口５１の反対側に設けられていなくてもよい。ます本体３１内に流入した排水は、流出口５３から外部へ流出する。ここでは、流出口５３は、側方に開口している。図２に示すように、平面視において、流出口５３の端面は、第１流入口５１の端面と平行であり、流出口５３の端面を通る直線は第２流入口５２の端面を通る直線と直交している。図３に示すように、正面視において、流出口５３の端面を通る直線は、点検口４１の端面を通る直線と直交している。図１に示すように、流出口５３には、主管路１０の下流側を構成する配管が接続される。例えば、上流側の排水ます３０Ａの流出口５３には、主管路１０の第２主管路１２の上流端を構成する配管が接続されている。下流側の排水ます３０Ａの流出口５３には、第３主管路１３の上流端を構成する配管が接続されている。流出口５３は受口であるが、差口であってもよい。なお、流出口５３は、ます本体３１の側部に直接形成されていてもよい。この場合、流出筒状部３４を省略してもよい。
【００５３】
次に、ます本体３１の点検口４１、第１流入筒状部３２の第１流入口５１、第２流入筒状部３３の第２流入口５２、および、流出筒状部３４の流出口５３の大きさの関係について説明する。図２に示すように、点検口４１は、第１流入口５１、第２流入口５２および流出口５３よりも大きく開口している。点検口４１の内径は、第１流入口５１の内径、第２流入口５２の内径および流出口５３の内径よりも長い。そのため、作業者は、点検口４１を通じて、ます本体３１、第１流入筒状部３２、第２流入筒状部３３および流出筒状部３４の内部のメンテナンスを容易に行うことができる。第１流入口５１と第２流入口５２と流出口５３は、同じ大きさであるが、大きさが異なっていてもよい。
【００５４】
第１排水流路３５は、ます本体３１内において、第１流入筒状部３２および流出筒状部３４と接続されている。第１排水流路３５は、第１流入筒状部３２と流出筒状部３４に連続している。ここでは、第１排水流路３５は、真っ直ぐな溝である。ただし、第１排水流路３５は、湾曲した溝であってもよい。図４に示すように、第１排水流路３５の底部は、第１流入筒状部３２の下流側の底部、すなわち、流入流路６５の底部、および、流出筒状部３４の底部と同じ高さに位置している。第１排水流路３５の底部は、第２流入口５２の底部と同じ高さに位置している。
【００５５】
図２に示すように、第２排水流路３６は、ます本体３１内において、第１排水流路３５と第２流入筒状部３３とに接続されている。ここでは、第２排水流路３６は、第１排水流路３５の途中部分に接続されている。第２排水流路３６は、第１排水流路３５および第２流入筒状部３３と連続している。第２排水流路３６は、略真っ直ぐな溝であり、下流端は上流端よりも幅が若干広がっている。ただし、第２排水流路３６は湾曲した溝であってもよい。図示は省略するが、第２排水流路３６は、上流側から下流側に向かうに連れて若干下方に傾斜または湾曲しているとよい。このことによって、第２流入筒状部３３から流入した排水を、第２排水流路３６の上流側から下流側へ自然に流すことができる。また、このことによって、排水に含まれるトイレットペーパーなどの異物などが、第２排水流路３６に溜まりにくくすることができる。ここでは、平面視において、第２排水流路３６と、第１排水流路３５における第２排水流路３６が接続された箇所よりも第１流入筒状部３２側の流路（以下、第１排水流路３５の上流側ともいう。）とのなす角度Ｒは、鋭角である。この角度Ｒは、例えば４５度である。しかし、角度Ｒは、直角すなわち９０度であってもよい。ここで、角度Ｒとは、平面視において、第２排水流路３６の幅方向の中心を繋ぐ線Ｌ２１と、第１排水流路３５の上流側の流路の幅方向の中心を繋ぐ線Ｌ２２とのなす角度のことである。
【００５６】
なお、本実施形態では、排水ます３０Ａは一体成形されていてもよいし、一部が別体の部品で成形されて組み付けられるようなものであってもよい。
【００５７】
次に、排水ます３０Ａを備えた排水システム１の利用方法について説明する。本実施形態に係る排水システム１では、図１に示すように、排水設備５から排出された排水を下水本管６へ排出する。ここでは、上流側に配置された排水設備５（図１の右側に示された排水設備５）から排出された排水の流れについて説明する。下流側に配置された排水設備５（図１の左側に示された排水設備５）から排出された排水の流れは、上流側の排水設備５から排出された排水の流れと同様のため、ここでの説明は省略する。
【００５８】
排水設備５から排出された排水は、分岐管路２０の第１分岐管路２１内を流れ、第２流入筒状部３３からます本体３１内に流入する。第２流入筒状部３３から流入した排水は、図２に示すように、第２排水流路３６および第１排水流路３５を介して、流出筒状部３４へ流れる。流出筒状部３４へ流れた排水は、図１に示すように、排水ます３０Ａから流出し、主管路１０の第２主管路１２へ流れる。その後、第２主管路１２へ流れた排水は、下流側の排水ます３０Ａの第１流入筒状部３２からます本体３１内に流入する。下流側の排水設備５から排水が排出されている場合、その排水は、下流側の排水ます３０Ａ内で主管路１０の上流側から流れてきた排水と合流する。その後、下流側の排水ます３０Ａ内に流入した排水は、第３主管路１３へ流れる。そして、第３主管路１３に流れた排水は、下水本管６へ流出する。
【００５９】
以上のように、本実施形態では、図２に示すように、平面視において、第１排水流路３５における第２排水流路３６が接続された箇所よりも第１流入筒状部３２側の流路と、第２排水流路３６とのなす角度Ｒは、鋭角である。このことによって、第２流入筒状部３３の第２流入口５２から第２排水流路３６に流入した排水は、第２排水流路３６に沿って流れるため、その流れの向きのまま第１排水流路３５に流入する。よって、排水は、第１排水流路３５の下流側に流れ易くなり、第１排水流路３５の上流側には逆流しにくくなる。
【００６０】
排水が流入する第２流入口５２は、第２流入筒状部３３の上流端に設けられている。このことによって、第２流入口５２と第２排水流路３６の上流端との間には、第２流入筒状部３３によって、距離が確保されている。よって、第２排水流路３６を流れる排水が、第２流入口５２から外部へ逆流しにくくすることができる。
【００６１】
排水が流出する流出口５３は、流出筒状部３４の下流端に設けられている。このことによって、流出口５３と第１排水流路３５の下流端との間には、流出筒状部３４によって、距離が確保されている。よって、主管路１０の下流側を流れる排水が流出口５３からます本体３１内の第１排水流路３５に流入しにくくすることができる。
【００６２】
本実施形態では、図４に示すように、第１流入筒状部３２の上流側の底部３２ｄは、第１排水流路３５の底部よりも上方に配置されている。平面視において、点検口４１の外方であって第１流入筒状部３２の底部には、下流側に向かって下方に傾斜した傾斜部６１が設けられている。そのため、第２排水流路３６の下流端から傾斜部６１までの間には、距離が確保されている。よって、仮に、第２流入筒状部３３から第１排水流路３５の上流側へ排水が流れた場合であっても、傾斜部６１に近づくに連れて、排水の流速は遅くなる。排水の勢いは傾斜部の手前で衰えるので、第２排水流路３６から第１排水流路３５の上流側に向かって逆流した排水は、傾斜部６１によって塞き止められ易くなる。したがって、第２流入筒状部３３の第２流入口５２から流入した排水が、第１流入筒状部３２から主管路１０の上流側へ逆流することを防ぐことができる。
【００６３】
排水設備５から排出される排水には、トイレットペーパーなどの異物が混入されている場合がある。仮に、傾斜部６１が第１流入筒状部３２の上流側の底部３２ｄから垂直方向に延びている場合、傾斜部６１の下端近傍に異物が溜まるおそれがあった。しかし、本実施形態では、傾斜部６１は、上流側から下流側に向かうに連れて傾斜が緩やかになっている。このことによって、第１流入筒状部３２から流入した排水に混入された異物などが、傾斜部６１の下端近傍に溜まりにくくなる。第１流入筒状部３２から流入した排水が、傾斜部６１に沿って第１排水流路３５に流れ易くなる。
【００６４】
排水ます３０Ａにおいて、第１流入筒状部３２内に異物が詰まっていないかの点検が行われる。このとき、作業者は、棒状の先端に鏡などを備えた点検具を点検口４１から第１流入筒状部３２内に挿入して、第１流入筒状部３２の内部の点検を行う。本実施形態では、第１流入筒状部３２において、上流側の端面よりも下流側の端面の方が大きく開口している。第１流入筒状部３２の下流側には、視認部６７が設けられている。よって、作業者は、点検具などを視認部６７に挿入することで、第１流入筒状部３２の内部を容易に点検することができる。なお、本実施形態では、第１流入筒状部３２の中心軸Ｌ１２上に視認部６７が設けられている。このことによって、作業者は、点検具などを視認部６７に挿入することで、第１流入筒状部３２に接続されている主管路１０の配管などの内部を容易に点検することができる。
【００６５】
図７に示すように、第１流入筒状部３２の横断面において、傾斜部６１の左の返し面６３Ｌは、底面６２の左の上端から右斜め上方に延びている。また、傾斜部６１の右の返し面６３Ｒは、底面６２の右の上端から左斜め上方に延びている。例えば、第２排水流路３６から第１排水流路３５の上流側に向かって逆流した排水が、傾斜部６１の底面６２上にまで乗り上げた場合であっても、返し面６３Ｌ、６３Ｒによって、塞き止め易くなる。よって、排水が第１流入筒状部３２の上流側に逆流しにくくすることができる。
【００６６】
排水ます３０Ａでは、図４に示すように、第１流入筒状部３２の底部であって、第１排水流路３５と傾斜部６１との間には、流入流路６５が設けられている。流入流路６５によって、第１排水流路３５と傾斜部６１との間には、距離が確保されている。そのため、第２流入筒状部３３の第２流入口５２から第１排水流路３５に流入した排水が、第１流入筒状部３２に逆流する場合、流入流路６５によって、排水の流速を抑えることができる。流入流路６５の長さ方向の距離を長くする程、排水の流速は衰え易くなる。よって、第２流入筒状部３３からます本体３１内に流入した排水が、第１流入筒状部３２から主管路１０の上流側へ逆流することを好適に防止することができる。
【００６７】
本実施形態では、流入流路６５と傾斜部６１との間には段差がなく、流入流路６５と傾斜部６１とは滑らかに連続している。このことによって、作業者は、点検具などを点検口４１から第１流入筒状部３２の上流側に挿入するのが容易である。よって、第１流入筒状部３２の上流側の点検を容易に行うことができる。
【００６８】
本実施形態では、流入流路６５上と傾斜部６１上とによって、逆流した排水が貯留される排水貯留領域６６が設けられている。言い換えると、平面視において、点検口４１の外方には、第１排水流路３５から逆流してきた排水が溜まる排水貯留領域６６が設けられている。このことによって、ます本体３１の第１排水流路３５から逆流してきた排水を排水貯留領域６６に一時的に溜めることができ、それよりも上流側に排水が逆流することを防止することができる。
【００６９】
図７に示すように、第１流入筒状部３２のうち流入流路６５が位置する部分の断面形状は、第１円弧３２ａと、第２円弧３２ｂとによって構成されている。第１円弧３２ａは、中心角Ｒ１が１８０度より大きく、かつ、下方に膨らんだ円弧状である。第２円弧３２ｂは、第１円弧３２ａの上方において、中心角Ｒ２が１８０度より大きく、かつ、上方に膨らんだ円弧状である。第２流入筒状部３３から流入した排水が勢いよく流入流路６５に流れる際、排水が、第１流入筒状部３２のうち流入流路６５が位置する部分の側面に沿って上方に向かって流れて、第１流入筒状部３２の上流側に逆流することがあり得る。しかし、本実施形態では、流入流路６５が位置する部分の断面形状は上述したような形状である。そのため、第１流入筒状部３２の下流側の側面の中間部分には、内方に突出した突起３２ｃが形成されている。よって、第１流入筒状部３２のうち流入流路６５が位置する部分の側面に沿って、排水が上方に向かって流れる場合であっても、突起３２ｃによって、排水はそれよりも上方には流れにくくなる。したがって、第２流入筒状部３３からます本体３１内に流入した排水が、第１流入筒状部３２の下流側の側面に沿って上方に向かって流れて、第１流入筒状部３２の上流側に逆流することを防止することができる。
【００７０】
仮に、第２流入筒状部３３の第２流入口５２の底部が第１排水流路３５の底部よりも高い位置に設けられている場合、第２流入筒状部３３の第２流入口５２から流入した排水は、落下するように第１排水流路３５へ流れるため、流速が速くなる。しかし、本実施形態では、図３に示すように、第２流入筒状部３３の第２流入口５２の底部は、第１排水流路３５の底部と同じ高さである。このことによって、第２流入筒状部３３の第２流入口５２から流入した排水は、落下せずに第１排水流路３５へ流れる。よって、排水の流速を抑えることができる。したがって、第２流入筒状部３３の第２流入口５２から流入した排水が、第１排水流路３５の上流側に勢いよく流れることを防止することができ、第１流入筒状部３２から主管路１０の上流側へ逆流することを好適に防止することができる。
【００７１】
例えば、周りに配管などの部材があるため、排水ます３０Ａを設置することが困難な場合がある。しかし、本実施形態では、図２に示すように、平面視において、第２流入筒状部３３の一部は、点検口４１と重なるように配置されている。このことによって、排水ます３０Ａにおける第２流入筒状部３３の軸方向、すなわち、前後方向の長さを短くすることができる。よって、排水ます３０Ａの点検口４１の外径よりも多少大きい幅が確保されている場所には、排水ます３０Ａを設置することができる。
【００７２】
以上、本実施形態に係る排水ます３０Ａについて説明した。しかし、本発明に係る排水ますは、上記実施形態に係る排水ます３０Ａに限らず、他の種々の形態で実施することができる。
【００７３】
＜他の実施形態＞
図９は、他の実施形態に係る排水ます３０Ｂの平面図である。図１０は、他の実施形態に係る排水ます３０Ｂの右側面図である。図９に示すように、排水ます３０Ｂにおいて、第２流入筒状部３３の第２流入口５２には、エルボ管９０が設けられていてもよい。エルボ管９０は、第２流入筒状部３３の第２流入口５２に回動自在に接続されている。エルボ管９０の下流端は、第２流入筒状部３３の第２流入口５２に接続され、エルボ管９０の上流端は、分岐管路２０に接続される。図１０に示すように、側面視において、エルボ管９０の上流端の端面を通る直線と下流端の端面を通る直線とは、直交している。しかし、側面視において、エルボ管９０の上流端の端面を通る直線と下流端の端面を通る直線とは、直交していなくてもよい。図１０では、エルボ管９０の上流端、すなわち、分岐管路２０が接続される端の端面は、上方に向かって開口しているが、開口している向きは特に限定されない。本実施形態によれば、第２流入筒状部３３の第２流入口５２に接続される分岐管路２０がどのような方向に延びている場合であっても、エルボ管９０を介して、分岐管路２０と第２流入筒状部３３の第２流入口５２との接続がし易くなる。
【００７４】
なお、上記各実施形態において、「平行」、「直交」には、それぞれ「略平行」、「略直交」も含まれる。
【００７５】
＜変形例＞
上記実施形態では、１つの排水設備５が排水ます３０Ａに接続されていた。しかし、排水ます３０Ａに接続される排水設備５の数は特に限定されない。例えば、１つの排水ます３０Ａに、複数の排水設備５が分岐管路２０を介して接続されていてもよい。
【符号の説明】
【００７６】
１  排水システム
３０Ａ、３０Ｂ  排水ます
３１  ます本体
３２  第１流入筒状部
３３  第２流入筒状部
３４  流出筒状部
３５  第１排水流路
３６  第２排水流路
４１  点検口
５１  第１流入口
５２  第２流入口
５３  流出口
６１  傾斜部
６２  底面
６３Ｌ、６３Ｒ  返し面
６５  流入流路（第３排水流路）
６６  排水貯留領域
【図１】
2015218532.tif 000003
【図２】
2015218532.tif 000004
【図３】
2015218532.tif 000005
【図４】
2015218532.tif 000006
【図５】
2015218532.tif 000007
【図６】
2015218532.tif 000008
【図７】
2015218532.tif 000009
【図８】
2015218532.tif 000010
【図９】
2015218532.tif 000011
【図１０】
2015218532.tif 000012